(57)【要約】      （修正有）【課題】移動通信端末機に蓄積されたPIMSデータを自動的にバックアップし且つ、復元する方法を提供し、移動通信端末機のユーザー装置の要求を損傷、損失または変更した時でも、データを何ら損失することなく、移動通信端末機のユーザー装置が、以前保持されていたPIMSデータを新しい移動通信端末機に有利に復元させる。【解決手段】更新に関連した情報とユーザー認証情報をコード化し、それらの情報をユーザーが無線通信していない間、PIMSデータ・バックアップアップ／復元・サーバーに送信し、ユーザー装置のPIMSデータを移送通信端末機で、ユーザー装置のPIMSデータを更新する時、それらの情報を蓄積する。【選択図】図１
2007129712.tif 000002
【特許請求の範囲】
【請求項１】
移動通信端末機の個人情報管理システム（PIMS）を自動的にバックアップ、復元する方法であり：
自動PIMSデータ・バックアップ／復元・プロセッサと、PIMSデータ・バックアップ／復元プロトコル・エンコーダー／デコーダーと、PIMSデータ・送信／受信ユニットと、PIMSデータ送信／受信ユニットと、サービスプロバイダーのバックアップ／復元サーバーとから成る移動通信端末機を備え、サービスプロバイダーのバックアップ／復元サーバーが、PIMSデータ送信／受信ユニットと、PIMSデータ・バックアップ／復元・プロトコル・エンコーダー／デコーダーと、自動PIMSデータ・バックアップ／復元プロセッサと、PIMSデータ蓄積ユニットとを備え、
ユーザー装置のPIMSデータが移動通信端末機において更新された時、更新された関連のデータ及び認証情報をコード化し、ユーザー装置が無線通信していない間、それらデータ及び情報をバックアップ／復元サーバーに送信し、それによってバックアップ／復元サーバーに蓄積し；
ユーザー装置の要求があると、ユーザー装置認識情報をコード化し、それをバックアップ／復元サーバーに送信し、ユーザー装置の認証後にバックアップ／復元サーバーから、該当するユーザー装置のPIMSデータを受信し、PIMSデータを移動通信端末機で復元、蓄積することを特徴とする方法。
【請求項２】
ユーザー装置のコード化情報を受信、復号し、ユーザー装置が、受信した認証情報を基に認証ユーザー装置であるかを確認し、もしユーザー装置の要求が適切なユーザー装置からのPIMSのバックアップに関する要求であれば、該当するユーザー装置のPIMSデータを対応するデータで更新し、もしユーザー装置の要求が、適切なユーザー装置からのPIMSデータの復元に関する要求であれば、該当するユーザーのPIMSデータをコード化し、それを該当するユーザーに送信することを特徴とする請求項１に記載の方法。
【請求項３】
ユーザー装置の移動通信端末機におけるPIMSデータのバックアップ及び復元が、ユーザー装置のPIMSデータを更新したか確認するステップと；もしユーザー装置のPIMSデータが更新されると、PIMSデータを自動的にバックアップするステップと；PIMSデータに関する復元要求があるかを確認するステップと；復元の要求がされた時、PIMSデータを復元するステップと；を含むことを特徴とする請求項１に記載の方法。
【請求項４】
ユーザー装置の移動通信端末機におけるPIMSデータのバックアップが、現在ユーザー装置がデータ通信を行っているかを確認し；ユーザー装置がデータ通信を行わない時、移動通信端末機をバックアップ／復元サーバーに接続するステップと；接続が成功したか確認するステップと；更新したPIMSデータ及びユーザー装置の認証情報を復号し、もし接続が成功すると、それらのデータ及び情報をバックアップ／復元サーバーに送信するステップと；通信が成功したかを確認するステップと；を含むことを特徴とする請求項１に記載の方法。
【請求項５】
ユーザー装置の移動通信端末機におけるPIMSデータの復元が、ユーザー装置の認証情報を取得するステップと；移動通信端末機をバックアップ／復元サーバーに接続し、ユーザー装置の認証情報をコード化し、送信するステップと；ユーザー装置の復元データを受信するステップと；復元データを復号し、PIMSデータを復元するステップと；を含むことを特徴とする請求項１に記載の方法。
【請求項６】
サーバープロバイダーのバックアップ／復元サーバーにおけるPIMSデータデータのバックアップ及び復元が、PIMSデータのバックアップまたは復元に関するユーザー装置の要求があるか確認するステップと；コード化されたユーザー装置の要求データを受信し、もしユーザー装置の要求があれば、そのデータを復号するステップと；ユーザー装置が認証ユーザー装置であるか、確認するステップと；ユーザー装置の要求がPIMSデータの復元に関する要求であるかを確認し；もしユーザー装置の要求がPIMSデータの復元に関する要求であれば、ユーザー装置のPIMSデータを取得するステップと；取得されたPIMSデータをコード化し。それをユーザーに送信するステップと；ユーザー装置の要求が、PIMSデータのバックアップに関する要求であるかを確認するステップと；もしユーザー装置の要求が、PIMSデータのバックアップに関する要求であれば、ユーザー装置のPIMSデータを更新するステップと；を含むことを特徴とする請求項１に記載の方法。
【発明の詳細な説明】
【技術分野】
【０００１】
本発明は、携帯電話のような移動通信端末機に蓄積された個人情報管理システム（Personal Information Management System：PIMS）のデータを自動的にバックアップし、復元する方法、特にPIMSデータをPIMSデータのバックアップ／復元サーバーに、ユーザー装置（user）の介入なしで送信し、PIMSデータの生成、補正または削除を行う時に、データをバックアップし、PIMSデータバックアップ／復元サーバーからバックアップPIMSデータを受信し、PIMSデータをユーザー装置の要求により移動通信端末機で復元し、それによって移動通信端末機の損傷、損失または変更があった時でも、移動通信端末機の損傷、損失または変更によりPIMSデータの損失を防止する方法に関するものである。
【背景技術】
【０００２】
一般的に携帯電話のような移動通信端末機はPIMSを備え、PIMSが通信者達の電話番号を含む様々な情報を蓄積している。
【０００３】
移動通信端末機を利用する時、ユーザー装置はPIMSデータを周期的に補正、削除または追加をします。例えば移動通信端末機のPIMSデータを、移動通信端末機の変更時に移動通信端末機のPIMSデータを新しい移動通信端末機に送信する必要と、PIMSデータを定期的にバックアップする必要がある。それは移動通信端末機が損傷、紛失した時に、PIMSデータを失うからである。
【発明の開示】
【発明が解決しようとする課題】
【０００４】
移動通信端末機においてPIMSデータをバックアップするか復元する通常の方法は、移動通信端末機を有線で接続し、パーソナルコンピューターでPIMSデータバックアップと復元プログラムを利用する方法と、移動通信端末機をウェブサイト支援PIMSデータバックアップ及び復元部に、無線インターネットを介して接続し、PIMSデータをバックアップし且つ復元する方法を含んでいる。
【課題を解決するための手段】
【０００５】
それは “携帯移動通信端末機に蓄積されたユーザー装置の電話番号をバックアップする方法と、バックアップ方法を実行する記録媒体記録プログラム”という名称で、韓国において未審査の特許出願明細書第2004-65345号が、電子メール送信機能を有した移動通信端末機を利用する、携帯移動通信端末機のメモリーに蓄積されたユーザー装置の電話番号をバックアップする方法を開示しており、更に端末ユーザー装置によって使用される電子メールのアドレスを促す端末を、メールサーバーに接続するステップ；端末に接続されたメールサーバーから送信され且つ、映し出されるメニューから、端末内のメモリーに蓄積されたユーザー装置の電話番号をバックアップする機能に対応して、メニュー項目を選択するステップ；端末のメモリーに蓄積された電話番号のデータファイルを、選択されたメニュー項目の対応部分に追加するステップ；そしてデータファイルを追加したメニュー項目を、メールサーバーに送信するステップを含んでいる。
【０００６】
更に“移動通信端末機の個人情報を蓄積し、それをダウンロードするシステム及び方法”という名称で、韓国において未審査の特許出願明細書第20004-93341号は、移動通信端末機の個人情報をサーバーに蓄積するシステムを開示しており、そのシステム及び方法は、データを移動通信端末機から無線チャンネルを介して送信、受信する無線通信ネットワークと；無線通信ネットワークと接続して、移動通信ユニットに関連した移動通信端末機から受信した、ユーザー装置に関する情報を分類し、且つ情報を蓄積するサーバーと、無線通信ネットワークとゲートウェイを介して接続し、多数のコンピューター端末機から有線ネットワークを介して、データを送信、受信するインターネットと、を備えている。韓国の未審査の特許出願明細書第20004-93341号は、無線ネットワークでデータ通信できる移動通信システムにおいてサーバーの移動通信端末機内に存在する個人情報を蓄積する方法を備え、移動通信端末機に蓄積されたユーザー装置に関する情報を送信するステップと；受信したユーザー装置に関する情報を個人情報サーバーに送信し、蓄積するステップと；ユーザーに関する情報のダウンロードを要求するメッセージを無線通信ネットワークから、移動通信端末機へ送信するステップと；個人情報サーバー内に蓄積され、且つ移動通信端末機に適合したユーザー装置に関する情報を、移動通信端末機に送信するステップと；個人情報サーバー内に蓄積されたユーザー装置に関する情報を、インターネットに接続されたコンピューター端末機を介してダウンロードすることを要求するステップと；個人情報サーバーに蓄積されたユーザー装置に関する情報を、インターネットに接続されたコンピューター端末機を介して更新するステップと；更新したユーザー装置に関する情報を移動通信端末機に送信するステップと；を含んでいる。
【０００７】
しかし、上記の方法を含んだ従来の方法では、移動通信端末機がユーザー装置の操作に応じて、管理サーバーまたはパーソナルコンピューターに接続された後、PIMSデータがバックアップまたは復元されるので、バックアップ動作は不便で、バックアップを行うのに時間が掛かり過ぎる。
【０００８】
更に、もし移送通信端末機に蓄積されたPIMSデータがバックアップされないと、移動通信端末機が損傷、損失または変更した時、以前のPIMSデータが新しい移動通信手段において復元できない。更にユーザー装置が移動通信端末機に蓄積されたPIMSデータを定期的にバックアップしても、ごく最近のPIMSデータバックアップ動作の後に更新されたPIMSデータを、復元できない。
【０００９】
よって本発明は、従来技術に生じた上記の問題を考慮しており、本発明の目的は移動通信端末機に蓄積されたPIMSデータを自動的にバックアップし、復元する方法を提供することであり、それによって移動通信端末機のユーザー装置が、移動通信端末機が損傷、損失または変更した時でも、データを何ら損失することなく、新しい通信端末機に以前保持していたPIMSデータを便利に復元できる。
【発明を実施するための最良の形態】
【００１０】
上記の目的を達成するため、本発明は更新関連情報とユーザー装置認証情報をコード化し、ユーザー装置が無線通信していない間、それらの情報をPIMSデータバックアップ／復元サーバーに送信し、ユーザー装置のPIMSデータを移動通信端末機で更新する時、それらの情報を蓄積する。
【００１１】
更に、本願発明はユーザー装置認証情報をコード化し、それをバックアップ／復元サーバーに送信し、バックアップ／復元サーバーから対応するユーザー装置のPIMSデータを、ユーザー装置の認証後に受信し、ユーザー装置が要求した時、PIMSデータを蓄積する。
【００１２】
更に本願発明は、ユーザー装置のコード化情報を受信し、復号して、受信した認証情報を基にユーザー装置が認証ユーザー装置であるかどうか確認（determines）し、もしユーザー装置が認証ユーザー装置によるPIMSデータのバックアップの要求であれば、該当するユーザー装置のPIMSデータを対応したデータで更新し、該当するユーザー装置のPIMSデータをコード化し、それを該当するユーザー装置に送信する。
【実施例】
【００１３】
本発明の上記及び別の目的、特徴及び利点を、添付図面を参照して下記の詳細な説明から明らかになるであろう。
【００１４】
添付図面を参照すると、同じ参照符号が同一または類似の構成要素を示すため、異なる図面にも使用する。
【００１５】
本発明の好ましい実施例を、添付図面を参照して詳細に説明する。
【００１６】
クライアント機器（client）（移動通信モバイル）とサーバーの構成を、本発明の好ましい実施例による移動通信端末機のPIMSデータを自動的にバックアップし、復元するシステムにおいて示した概略図である。
【００１７】
ユーザーの移動通信モバイルが、自動PIMSデータバックアップ／復元プロセッサ１００と、PIMSデータバックアップ／復元・プロトコル・エンコーダー／デコーダー１０１と、PIMSデータ送信／受信ユニット１０２とを備えている。サーバープロバイダーのバックアップ／復元サーバーが、PIMSデータ送信／受信ユニット１１０と、PIMSデータバックアップ／復元プロトコル・エンコーダー／デコーダー１１１と、自動PIMSデータバックアップ／復元プロトコル・エンコーダー／デコーダー１１１と、PIMSデータ蓄積ユニット１１３とを備えている。
【００１８】
図２は、本発明の好ましい実施例によるユーザー装置（user）において、PIMSデータを自動的にバックアップし、復元するプロセスを示したプロセスである。移動通信端末機であるユーザー装置において、PIMSデータを自動的にバックアップし、復元するプロセスは、ユーザー装置のPIMSデータを更新するかどうかのステップ２００と、もしユーザー装置のデータが変更されると、PIMSデータを自動的的にバックアップするステップ２０１と、PIMSデータに関する復元の要求をするか確認するステップ２０２と、復元要求をした時にPIMSデータを復元するステップ２０３とを含む。
【００１９】
図３は、本発明の好ましい実施例によるユーザーにおいて、PIMSデータを自動的にバックアップするプロセスを示している。移動通信端末機であるユーザー装置において、PIMSを自動的にバックアップするプロセスは、ユーザー装置が現在データ通信を行っているかを確認するステップ３００と；ユーザー装置がデータ通信を行っている時、移動通信端末機をバックアップ／復元サーバーに接続するステップ３０１と；接続が継続しているか確認するステップ３０２と；更新したPIMSデータ及びユーザー装置認証情報をコード化し、もし接続が成功すると、それらデータ及び情報をバックアップ／復元サーバーに送信するステップ３０３と；送信が継続しているか確認するステップ３０４と；を含む。
【００２０】
図４は、本発明の好ましい実施例によるユーザー装置において、PIMSデータを復元するプロセスを示したフローチャートである。ユーザー装置においてPIMSデータを復元するプロセスは、ユーザー装置認証情報を取得するステップ４００と、バックアップ／復元サーバーに接続し、ユーザー装置認証情報をコード化して送信するステップ４０１と、該当するユーザー装置の復元データを受信するステップ４０２と、復元データを復号し、PIMSデータを復元するステップ４０３と、を含む。
【００２１】
図５は、本願発明の好ましい実施例に関連し、サーバーにおいてPIMSデータを自動的にバックアップし、復元するプロセスを示したフローチャートである。サービスプロバイダーのバックアップ／復元サーバーにおいて、PIMSデータを自動的にバックアップし、復元するプロセスは、PIMSデータのバックアップまたは復元に関するユーザー装置の要求があったか確認するステップ５００と、コード化したユーザー装置の要求データを受信し、もしユーザー装置の要求があれば、データを復号するステップ５０１と、ユーザー装置が認証ユーザー装置であるか確認するステップ５０２と、ユーザー装置が認証ユーザー装置であると確認した時、ユーザー装置がPIMSデータの復元に関する要求があるか確認するステップ５０３と、もしユーザー装置の要求がPIMSデータの復号に関する要求であれば、PIMSデータをデータベースから取得するステップ５０４と、取得したPIMSデータをコード化し、それをユーザー装置に送信するステップ５０５と、ユーザー装置の要求がPIMSデータのバックアップに関する要求であるかを確認するステップ５０６と、ユーザーの要求が、PIMSデータのバックアップに関する要求であれば、ユーザー装置のPIMSデータを更新するステップ５０７と含む。
【００２２】
本発明において、サービスプロバイダーがソケット通信用の有線／無線インターネットサービス、データ特性を基にした適切なチャージ方法と、サービスに関して適切な通信ネットワークとを備え、無線インターネットサービスを新しいサービスモデルによって作動する。
【００２３】
上記のように本発明は、ユーザー装置が移動通信端末機を使用していない間、ユーザー装置のPIMSデータの変更コンテンツをPIMSバックアップ／復元サーバーに自動的に送信し、ユーザー装置の認証後にPIMSバックアップ／復元サーバーにおいて、送信されたPIMSを蓄積し、PIMSバックアップ／復元サーバーを使用して、ユーザー装置の最新PIMSデータを自動的にバックアップし、それによって移動通信端末機の損傷、損失または変更時に、ユーザー装置のPIMSデータの損失を防止する。
【００２４】
更に本発明によると、ユーザー装置がユーザー装置の認証情報をPIMSデータバックアップ／復元サーバーに移動通信端末機の損傷、損失または変更時にでも、PIMSデータバックアップ／復元サーバーに送信し、以前にバックアップしたユーザー装置のPIMSデータを要求する。PIMSデータバックアップ／復元サーバーが、送信された認証情報を基にユーザー装置を認証し、そしてバックアップされたユーザー装置データを、バックアップを要求したユーザー装置の移動通信端末機に送信する。その後、移動通信端末機がPIMSデータを復元し、それによって移動通信端末機の損傷、損失または変更時に移動通信端末機で使用されるPIMSデータを復元する。
【００２５】
本発明の好ましい実施例を例証として開示しているが、請求項に示したように本発明の範囲内で、様々な変形、追加及び交換が可能であることは当該業者にとって明らかである。
【図面の簡単な説明】
【００２６】
【図１】本発明の好ましい実施例による携帯通信端末機のPIMSデータを自動的にバックアップし、復元するシステムにおいて、クライアント機器（携帯通信モバイル）とサーバーの構成を示した概略図。
【図２】本発明の好ましい実施例によるユーザー装置において、PIMSデータを自動的にバックアップし、復元するプロセスを示したフローチャート。
【図３】本発明の好ましい実施例によるユーザー装置において、PIMSデータを自動的にバックアップするプロセスを示したフローチャート。
【図４】本発明の好ましい実施例によるユーザー装置において、PIMSデータを自動的に復元するプロセスを示したフローチャート。
【図５】本発明の好ましい実施例の関連で、サーバーにおいてPIMSデータを自動的にバックアップし、復元するプロセスを示したフローチャート。
【符号の説明】
【００２７】
１００  自動PIMSデータ・バックアップ／復元・プロセッサ
１０１  PMISデータ・バックアップ／復元・プロトコル・エンコーダー・デコーダー
１０２  PMISデータ・送信／受信・ユニット
１１０  PIMSデータ・送信／受信・ユニット
１１１  PIMSデータ・バックアップ／復元・プロトコル・エンコーダー・デコーダー
１１２  自動PIMS・データ・バックアップ／復元・プロセッサ
１１３  PIMSデータ・蓄積・ユニット
２００  PIMSデータが更新されたか？
２０１  PIMSデータを更新
２０２  PIMSに関する復元要求があったか？
２０３  PIMSデータを復元
３００  現在ユーザー装置がデータ通信を行っているか？
３０１  バックアップ／復元・サーバーに接続
３０２  接続が成功したか？
３０３  更新されたPIMSデータ及びユーザー装置の認証情報をコード化し、それらをバックアップ／復元・サーバーに送信
３０４  送信が成功したか？
４００  ユーザー装置の認証情報を取得
４０１  バックアップ／復元・サーバーに接続し、ユーザー装置の認証情報を送信
４０２  該当するユーザー装置の復元されたデータを受信
４０３  復元されたデータをコード化し、PIMSデータを復元
５００  ユーザー装置の要求があったか？
５０１  コード化されたユーザー装置の要求データを受信し、復号
５０２  ユーザー装置が認証ユーザー装置か？
５０３  PMISデータの復元に関するユーザー装置の要求か？
５０４  ユーザー装置のPIMSデータを取得
５０５  取得したPIMSデータをコード化し、ユーザー装置に送信
５０６  PIMSデータのバックアップに関するユーザー装置の要求か？
５０７  ユーザー装置のPIMSデータを更新
【図１】
2007129712.tif 000003
【図２】
2007129712.tif 000004
【図３】
2007129712.tif 000005
【図４】
2007129712.tif 000006
【図５】
2007129712.tif 000007